(57)【特許請求の範囲】
【請求項１】
横長の長方形状又は同効類似形状の基板を中間連結部により折り畳み重合可能に連設してなり、各基板は互いに長手方向中心線部に沿って非連結側より連結側に向かって所要長さにわたり対称的に細長溝が形成され、その細長溝先端と中間部に夫々細長溝の溝巾より大径の穴が設けられていると共に、両基板は折り畳みにより対接する内面が夫々周縁部を残して中央部が膨出し、基板折り畳み時、重合された両基板の周縁に所要の隙間が形成されるよう構成されていることを特徴とするボンボン作成用器具。
【請求項２】
中間連結部で連設された基板が合成樹脂成形により一体に成形されている請求項１記載のボンボン作成用器具。
【請求項３】
請求項１または２記載の器具を用い、下記（Ａ）〜（Ｅ）記載の操作によりボンボンを作成することを特徴とするボンボン作成方法。
（Ａ）基板を中間連結部より折り畳み重合せしめて、重合した基板外周に糸を所要の巻数巻き付けること。
（Ｂ）重合した基板に巻き付けた上記巻糸の両端部端糸又は別の糸を細長溝の大径穴を通し、細長溝を通じて上記巻糸の中間部外周に廻し、該中間部を締結し、狭窄化すること。
（Ｃ）巻糸の上下ループ部を重合した基板の上下隙間に沿ってはさみ等の切断具により切断すること。
（Ｄ）基板に巻き付けられ、中間部が狭窄化され、かつ上下のループが切断された束状巻糸を基板の非連結側より引き抜き外すこと。
（Ｅ）上記外した束状巻糸の各糸を分散させ、糸端を整えて球状となるよう整形し、ボンボンとすること。
【発明の詳細な説明】
【０００１】
【発明の属する技術分野】
本発明は帽子や洋服などに付される小形球状の飾りあるいは手芸人形等の頭部や胴部の形成に用いられる、いわゆるボンボン又はポンポンと称される球状の飾り玉を作成するための器具ならびに該器具を用いてボンボン又はポンポン（以下、単にボンボンと称する）を作成する方法に関するものである。
【０００２】
【従来の技術】
従来、ボンボン作成用器具としては、半円形の基板開放側両端に側方に突片を形成せしめた器具を２対使用したものが知られており、その１対宛を互いに突片形成方向を反対方向とし背中合わせに使用して糸はしを少し残して端部から糸を巻いてゆき、この糸を巻いた各１対の突片に設けた係合具により円形状になるよう係合して背中合わせの隙間に沿って巻糸のループをはさみで切断し、切り終えたらその隙間に糸を渡してきつく締め括り、その後さきの係合を外し、器具を取って整形することによってボンボンが作成されていた。
【０００３】
しかし、上記の器具を使用するときは、糸を巻いた１対の半円形のものを互いに係合具を求めて円形状に係合しなければならないため、手間が煩雑であると共に、ループ部を切断し、中央部で結縛した後に器具を取り外すことも難があった。
【０００４】
そこで、本出願人はこれを簡略化すべく、１対の半円形基板を一端で連結し、他端は係止容易な構造として、これを互いに重合して使用し、これに糸を巻いた後、両基板の重合部隙間で糸のループ部を切断し、次いで該隙間に糸をわたして巻糸の中央部を緊締した後、基板を外してボンボンを形成するという器具を見出した。
【０００５】
【発明が解決しようとする課題】
上記改良したボンボン作成用器具は製作ならびに操作が容易である利点を有するが、一方、ループ部の切断と、巻糸中央部の締め括りが同様な重合基板間の隙間であり、しかも巻糸からの器具の取り外しにおいても同様であるため、更に全く形式の異なる器具を見出すべく努力を重ねた。
【０００６】
本発明は上述の如き実状に対処し、更に構成の簡易化を目指し、巻糸よりの器具の取りだしに便なる構成を見出すことにより、ボンボンの作成をより簡単かつ容易ならしめ、ボンボンの各分野への利用度を高め、手芸操作の普及に貢献せしめることを目的とするものである。
【０００７】
【課題を解決するための手段】
即ち、上記目的に適合する本発明の特徴は、その１つはボンボン作成用器具に係り横長の長方形状又は同効類似形状の基板を中間連結部により折り畳み重合可能に連設してなり、各基板は互いに長手方向中心線部に沿って非連結側より連結側に向かって所要長さにわたり対称的に細長溝が形成され、その細長溝先端と中間部に夫々細長溝の溝巾より大径の穴が設けられていると共に、両基板は折り畳みにより対接する内面が夫々周縁部を残して中央部が膨出し、基板折り畳み時、重合された両基板の周縁に所要の隙間が形成されるようになっている構成にある。
【０００８】
ここで上記の基板は金属あるいは厚紙等により作成することも可能であるが、中間連続部により連設した基板を合成樹脂成形により一体に整形することが好適である。
また、本発明の他の特徴は上記器具を用いてボンボンを作成する方法として下記（Ａ）〜（Ｅ）記載の操作により作成することにある。
【０００９】
（Ａ）基板を中間連結部より折り畳み重合せしめて、重合した基板外周に糸を所要の巻数巻き付けること。
（Ｂ）重合した基板に巻き付けた上記巻糸の両端部端糸又は別の糸を細長溝の大径穴を通し、細長溝を通じて上記巻糸の中間部外周に廻し、該中間部を締結し、狭窄化すること。
（Ｃ）巻糸の上下ループ部を重合した基板の上下隙間に沿ってはさみ等の切断具により切断すること。
（Ｄ）基板に巻き付けられ、中間部が狭窄化され、かつ上下のループが切断された束状巻糸を基板の非連結側より引き抜き外すこと。
（Ｅ）上記外した束状巻糸の各糸を分散させ、糸端を整えて球状となるよう整形すること。
【００１０】
【発明の実施の形態】
以下、更に添付図面を参照し、本発明の具体的な実施の態様を説明する。
【００１１】
図１は本発明に係るボンボン作成用器具の１例の表面側を示し、図２はその裏面側を示す図であり、図３はその平面図である。
【００１２】
図１，図２に示すように本発明器具は横長の長方形形状の左右基板１，１が中間連結部５を介して折り畳み重合可能に連設されており、夫々の基板１，１には互いに長手方向中心線部に沿って非連結側、図の左右両端側より連結部５の存する中間連結側に向かって所要長さ、通常、基板１の連結部側一部を残して大半の長さにわたり対称的に細長溝４、２が形成されており、その先端部と、中間所要位置に細長溝４，２の溝巾より大径の穴３，３が設けられている。
【００１３】
そして、上記の基板１，１はまた夫々、折り畳まれるとき、互いに対接する面が図２，図３に示すように連結部５を除く周縁部を輪郭状をなすよう残して、その中央部が対接側に膨出６して厚味を有し、折り畳み重合時、両基板１，１の対接部周縁の輪郭状部分に両基板１，１の膨出部６に見合う隙間が形成されるようになっている。
ここで基板１，１は金属板あるいは厚紙等により形成してもよいが、合成樹脂成形により両基板１，１と中間連結部５を一体に整形するのがコスト面で有利である。
【００１４】
なお、上記基板１，１は図示例では横長長方形状となっているが、必ずしも厳密な長方形状に限るものではなく、横長楕円形状あるいはこれに近似した形状でも糸巻付けが容易であれば使用可能である。
また、基板１，１の横中心線上の細長溝２，４は図示例では溝巾の大きさに差をもたせているが、同じ溝巾でもよく、要は糸が自由に通過できる大きさであれば自由に設定することができる。
【００１５】
更に大径の穴３も巻糸の中間部を締結する糸を容易に通し得る大きさであればよい。
また、基板１，１対接面の膨出部６の厚みも両基板重合時、基板に巻かれた巻糸のループ部をはさみ等により切断可能であればよく、特に大きく膨出させる必要はない。
【００１６】
図４（イ）〜（ホ）は上記の如き作成用器具を用いてボンボンを作成する過程を示しており、上記作成器具は基板１，１を２つに折り畳んだ状態で使用する。
先ず２つに折り畳んだ上記器具の外周に（イ）図に示すように糸を所要の巻き数だけ巻き付ける。
このとき糸の始端を細長溝の左端側より挿入し始端を保持させておけば簡単に始端を止めることができる。
そして、ボンボンの大きさに合わせて所要の巻数を巻き付け、糸の終端を連結側よりの大径穴に係止させるようにする。
【００１７】
次に上記の如くして器具に糸を巻き付けると、必要に応じ巻き付けた糸を中央部に寄せて上記係止した糸の始端と終端を引き出し、大径穴で通しつつ細長溝の部分において巻いた糸の中間部外周に（ロ）図のように廻し、該部を（ハ）図に示した如く締め括り、中間部を狭窄化する。
なお、括り糸は上記のように巻く糸の始端と終端の引き出し糸でもよいが、別の糸を用いて括り糸としてもよい。
この場合、大径の穴を通し細長溝を滑らせて巻糸の中間部を締め括るようにすれば容易に行うことができる。
【００１８】
かくして、巻糸が締結用括り糸によって括られると、巻糸の上下ループ部を基板の上下に設けられている隙間に沿って（ハ）図に示すようにはさみ等の切断具を用いて切断してゆく。
上記巻糸中間部の締め括りと巻糸上下のループの切断は、上記説明ならびに図示例では締め括って後、ループの切断を行うようにしているが、逆にループの切断を先に行ってその後、巻糸中間部を締結するようにしても差し支えない。
【００１９】
このようにして、中間部が締結され、狭窄化されると共に上下のループが切断され、解放された巻糸は束状巻糸となって図４（ハ）の矢印に示すように基板の側方に引き抜くことにより器具より外すと、図４（ニ）に示すような束状巻糸、即ち巻糸束が得られる。
そして、この巻糸束に対し各糸を分散させ、必要に応じ糸の撚りを戻してバラケさせると、分散された糸の塊となり、この糸塊の糸端を適宜、はさみによりカットしつつ整えて全体が球状となるように整形すると、所定の球状形ボンボンを得る。
【００２０】
以上のボンボン作成において、器具の大きさを変え、巻数を変えることにより、種々大きさの異なるボンボンを得ることができる。また、使用する糸の種類、太さ、色などを変えることにより作成されるボンボンに種々の変化を与えることができる。
従って、ボンボンを人形の頭部、胴部あるいは防止の飾りなど、利用しようとする目的に応じ適宜選択して作成し、手芸による作品製作の楽しみを増加させる。
【００２１】
【発明の効果】
本発明は以上のように折り畳み重合可能に基板を連結し、中央線に沿い溝ならびに穴を設けたものであり、締め括る糸の括り操作を容易ならしめると共に、巻糸上下ループの切断および最後の巻糸の器具からの引き抜きなどの操作を簡易ならしめることができ、従来、複数の部材を使用して組み合わせてボンボンを作成していたのに比し、器具が簡単であるのみならず操作も楽で、何人でも容易にボンボンを作成することができる利点があり、ボンボンを利用した各種の飾り、あるいは動物、人形の作成など手芸作品の創作に頗る有用である。
また、大きさ、糸の変化などを加えることにより種々変化に富んだ作品の提供に効果的である。
【図面の簡単な説明】
【図１】本発明に係る作成用器具の１例を示す正面図である。
【図２】図１の背面図である。
【図３】図１の平面図で、右半部を断面で示す。
【図４】（イ）〜（ホ）は上記器具を用いてボンボンを作成する過程を示す説明図である。
【符号の説明】
１  基板
２、４  細長溝
３  大径穴
５  中間連結部
６  膨出部
【図１】
0004166911.tif 000002
【図２】
0004166911.tif 000003
【図３】
0004166911.tif 000004
【図４】
0004166911.tif 000005